(57)【要約】【課題】  携帯型電子通信機器からの電磁波を環境に応じて発せられないようにする携帯型電子通信機器の電源制御システムを提供する。【解決手段】  無線によって通信を行う携帯型電子通信機器と、携帯型電子通信機器の電源のＯＮ、ＯＦＦを指示するための信号を出力するゲートと、携帯型電子通信機器に設けられるＩＣタグとを有する携帯型電子通信機器の電源制御システムにおける携帯型電子通信機器の電源制御方法であって、ＩＣタグは、ゲートを通過する前の携帯型電子通信の電源ＯＮまたはＯＦＦの状態を示す電源情報を記憶し、ゲートを通過する際に電源がＯＮであった場合に電源をＯＦＦにし、次にゲートを通過する際に電源情報を参照して電源情報がＯＮの場合に電源をＯＮにし、電源情報がＯＦＦの場合に電源をＯＦＦのまま維持する。【選択図】    図１
2006203510.tif 000002
【特許請求の範囲】
【請求項１】
無線によって通信を行う携帯型電子通信機器と、
前記携帯型電子通信機器を所持する利用者が通過可能に形成され、前記携帯型電子通信機器の電源のＯＮ、ＯＦＦを指示するための信号を出力するゲートと、
前記携帯型電子通信機器に設けられ、前記ゲートから出力される信号を受信し、受信した信号に基づいて前記携帯型電子通信機器の電源のＯＮ、ＯＦＦを実行する指示が記憶されている無線通信装置と、
を有することを特徴とする携帯型電子通信機器の電源制御システム。
【請求項２】
前記無線通信装置に記憶された指示は、前記携帯型電子通信機器の電源がＯＦＦの状態で前記ゲートを通過した場合に前記電源をＯＦＦのまま維持させることを特徴とする請求項１記載の携帯型電子通信機器の電源制御システム。
【請求項３】
前記ゲートは、該ゲートを通過すると前記携帯型電子通信機器の電源をＯＮにする信号と、電源をＯＦＦにする信号を、該ゲートの設置場所に応じて出力することを特徴とする請求項１または２記載の携帯型電子通信機器の電源制御システム。
【請求項４】
前記電源のＯＦＦの状態は、休止状態またはスタンバイ状態を含むことを特徴とする請求項１から請求項３のうちいずれかに記載の携帯型電子通信機器の電源制御システム。
【請求項５】
無線によって通信を行う携帯型電子通信機器と、前記携帯型電子通信機器の電源のＯＮ、ＯＦＦを指示するための信号を出力するゲートと、前記携帯型電子通信機器に設けられる無線通信装置とを有する携帯型電子通信機器の電源制御システムにおける携帯型電子通信機器の電源制御方法であって、
前記無線通信装置は、前記ゲートを通過する前の前記携帯型電子通信の電源ＯＮまたはＯＦＦの状態を示す電源情報を記憶し、前記ゲートを通過する際に電源がＯＮであった場合に電源をＯＦＦにし、次にゲートを通過する際に前記電源情報を参照して電源情報がＯＮの場合に前記電源をＯＮにし、電源情報がＯＦＦの場合に前記電源をＯＦＦのまま維持することを特徴とする携帯型電子通信機器の電源制御方法。
【請求項６】
前記電源のＯＦＦの状態は、休止状態またはスタンバイ状態を含むことを特徴とする請求項５に記載の携帯型電子通信機器の電源制御方法。
【発明の詳細な説明】
【技術分野】
【０００１】
本発明は、携帯電話等の携帯型電子通信機器から発せられる電磁波を、携帯型電子通信機器の電源のＯＮ、ＯＦＦにより発信及び受信を制御する携帯型電子通信機器の電源制御システムおよびその制御方法に関する。
【背景技術】
【０００２】
従来から、携帯可能な電子通信機器が提供されている。昨今の携帯型電子通信機器として、特に携帯電話の普及が著しく、その機能も通話、電子メールの送受信のみならず、カメラ、ビデオ、テレビ受像機、ラジオ受信、ＧＰＳ搭載のナビゲーション、またお財布代わりとして買い物の決済や、公共交通機関の乗車賃の決済、キャッシュカードとしての利用やクレジットカード決済等、その用途は限りなく広がっている。さらに、上記した多機能とは逆に小型軽量化されポケット等に入れていても目立たないサイズの機器も提供されている。このように現代においては、人々の生活に密着して必要不可欠なものとなってきている。
【０００３】
また、携帯型電子通信機器（以下、「携帯電話」と称す）から人体に影響を及ぼす電磁波が発せられることが指摘されている。そのため、多くの人が密集する電車の中や、公共の場では電源をＯＦＦにしておくことが望ましい。
また、この携帯電話から発せられる電磁波は、他の電子機器に影響を及ぼして誤作動を引き起こすことについても指摘されている。例えば、携帯電話から発せられる電波によって病院内に設置されている医療機器が誤作動することが挙げられ、このため病院内等では、携帯電話の電源をＯＦＦにするよう、張り紙や、携帯電話の使用不可マーク等が掲示されている。
【０００４】
このような電磁波をシールドするたの電磁波シールド床が提案されている（先行技術文献１参照）。この電磁波シールド床は、床スラブ面と金属層１、２がむき出しになった壁面との交叉部に幅２５０ｍｍのアルミニウム箔テープ３、４（裏面にストライプ状に感圧接着剤層を有する）をＬ字状にして貼りつけ、まず壁面の金属層と前記交叉部のアルミニウム箔との電気的接続を確保する。次いで４５７ｍｍ×４５７ｍｍ角のタイルの継ぎ目部分に相当する個所の床スラブ面にアルミニウムテープ５、５、５・・・を市松模様状に貼りつける。次に、塩化ビニル系樹脂製タイルの裏面にアルミニウム金属層を有する置敷型タイルを敷きつめる。この工事をビルの各階に施し、屋上部分のみは、屋上の内面にアルミニウム箔を設け、このアルミニウム箔と壁面のアルミニウム箔とを床面工事の方法と同様の要領でアルミニウム箔テープを用いて電気的に接続し、完全な電磁波シールド室を構成する。なお、壁面には表面にアルミニウム箔を保護するボードが貼りつけられる。
【特許文献１】特開平９−１２５６６７号公報
【発明の開示】
【発明が解決しようとする課題】
【０００５】
しかしながら、上述した従来技術によれば、携帯電話の電源をＯＦＦにする張り紙や使用不可マークの掲示は、携帯電話の所有者のモラルに依存している。そのため、その掲示に従って所有者が携帯電話をＯＦＦにしなければ、混み合った電車の中においてペースメーカ等を装着した人の近傍で携帯電話が作動してしまい、その際、ペースメーカ等の誤作動を引き起こすといった問題が生じる可能性もある。
また、病院内等では、このような事態がさらに顕著であり、ペースメーカを装着している人も多く、心電図計測機器や人口呼吸機器等も多く使用されており、これらが誤作動を起こすことによって生命の危機にさらされることが生じる可能性もある。
さらに、携帯電話の所有者層の低年齢化により、学校の授業中に携帯電話の呼び出し音やメール受信音等が放音され、授業が中断してしまうなど、周囲の人に迷惑がかかる場合も生じていた。
【０００６】
本発明は、このような事情に鑑みてなされたもので、その目的は、人が密集する場所は、限られた空間であり、ドアやゲートを通過して集合体となることに着目し、携帯型電子通信機器からの電磁波を環境に応じて発せられないようにする携帯型電子通信機器の電源制御システムおよびその制御方法を提供することにある。
【課題を解決するための手段】
【０００７】
上述した課題を解決するために、本発明は、無線によって通信を行う携帯型電子通信機器と、前記携帯型電子通信機器を所持する利用者が通過可能に形成され、前記携帯型電子通信機器の電源のＯＮ、ＯＦＦを指示するための信号を出力するゲートと、前記携帯型電子通信機器に設けられ、前記ゲートから出力される信号を受信し、受信した信号に基づいて前記携帯型電子通信機器の電源のＯＮ、ＯＦＦを実行する指示が記憶されている無線通信装置と、を有することを特徴とする。
【０００８】
また、本発明は、上述の携帯型電子通信機器の電源制御システムにおいて、前記無線通信装置に記憶された指示は、前記携帯型電子通信機器の電源がＯＦＦの状態で前記ゲートを通過した場合に前記電源をＯＦＦのまま維持させることを特徴とする。
また、本発明は、上述の携帯型電子通信機器の電源制御システムにおいて、前記ゲートは、該ゲートを通過すると前記携帯型電子通信機器の電源をＯＮにする信号と、電源をＯＦＦにする信号を、該ゲートの設置場所に応じて出力することを特徴とする。
また、本発明は、上述の携帯型電子通信機器の電源制御システムにおいて、前記電源のＯＦＦの状態は、休止状態またはスタンバイ状態を含むことを特徴とする。
【０００９】
また、本発明は、無線によって通信を行う携帯型電子通信機器と、前記携帯型電子通信機器の電源のＯＮ、ＯＦＦを指示するための信号を出力するゲートと、前記携帯型電子通信機器に設けられる無線通信装置とを有する携帯型電子通信機器の電源制御システムにおける携帯型電子通信機器の電源制御方法であって、前記無線通信装置は、前記ゲートを通過する前の前記携帯型電子通信の電源ＯＮまたはＯＦＦの状態を示す電源情報を記憶し、前記ゲートを通過する際に電源がＯＮであった場合に電源をＯＦＦにし、次にゲートを通過する際に前記電源情報を参照して電源情報がＯＮの場合に前記電源をＯＮにし、電源情報がＯＦＦの場合に前記電源をＯＦＦのまま維持することを特徴とする。
また、本発明は、上述の携帯型電子通信機器の電源制御方法において、前記電源のＯＦＦの状態は、休止状態またはスタンバイ状態を含むことを特徴とする。
【発明の効果】
【００１０】
以上説明したように、この発明によれば、ゲートを通過する際に出力された信号を携帯型電子通信機器に設けられた無線通信装置によって受信し、無線通信装置が携帯型電子通信機器に対し、携帯型電子通信機器の電源のＯＮ、ＯＦＦを制御するようにした。これにより、電磁波を発することが好ましくない場所に入る時点で、所有者が積極的に電源の操作をしなくても携帯型電子通信機器の電源をＯＦＦにすることができ、人のモラルに依存することなく電源の切り忘れを防止し、電磁波による影響を生じないようにすることができる（特に病院等で医療用機器に対する影響を防止することができる）。
【発明を実施するための最良の形態】
【００１１】
以下、本発明の一実施形態による携帯型電子通信機器の電源制御システムを図面を参照して説明する。図１は、この発明の第１の実施形態における携帯型電子通信機器の電源制御システムの構成を示す概略構成図である。
この図において、携帯型電子通信機器の一例となる携帯電話１には、情報を保管し、電波信号の受信により有る特定の信号を返す無線通信装置が設けられる。この無線通信装置は、本実施形態では、ＩＣタグを適用する場合について説明する。この携帯電話１は、電源がＯＮの状態において、無線によって通信を行う際に電磁波を発する機能と、無線通信装置の一例となるＩＣタグ２からの指示に基づいて、各部に供給する電源をＯＦＦ（電源が投入されていない状態）またはＯＮ（電源が投入されている状態）にする機能を有する。この電源ＯＦＦ状態は、休止状態またはスタンバイ状態を含むものであり、無線信号を発する無線部に対してのみ電源をＯＦＦにすることも可能である。この携帯型電子通信機器は、無線によって通信を行う機能を有するものであり、携帯電話１以外に、例えば簡易型携帯電話であってもよい。
【００１２】
ＩＣタグ２は、携帯型電子通信機器内に設けられ、ゲート３から出力される信号を受信し、受信した信号に基づいて携帯電話１の電源のＯＮ、ＯＦＦを実行するためのプログラムが記憶されている（詳細は後述する）。
【００１３】
ゲート３は、携帯電話１を所持する利用者が通過可能に形成され、携帯電話１の電源のＯＮ、ＯＦＦを指示するための信号をＩＣタグ２に出力する出力部３を有する。このゲート３は、シールドルームや電車等、携帯電話１の電源のＯＮ、ＯＦＦの制御を行う対象空間の出入り口に配置される。
【００１４】
次に、図２を用いてＩＣタグ２についてさらに説明する。図２は、この発明の一実施形態によるＩＣタグの構成を示す概略ブロック図である。
ＩＣタグ２において、アンテナ部２１は、ゲート３から出力される信号を受信する。電源情報記憶部２２は、ゲート３を通過する前の携帯電話１の電源がＯＮであるかＯＦＦであるかの状態を示す電源情報を制御部２３からの指示に基づいて記憶する。この電源情報は、例えば、フラグのＯＮ、ＯＦＦによって記憶するものであり、フラグがＯＮの場合、ゲート３を通過する前（入室時）は、携帯電話１の電源がＯＮであることを示し、フラグがＯＦＦの場合、ゲート３を通過する前（入室時）は、携帯電話１の電源がＯＦＦあることを示す。
【００１５】
制御部２３は、ゲート３から出力される信号をアンテナ部２１によって受信した場合に携帯電話１の電源をＯＦＦにする機能と、１度ゲート３から出力される信号を受信した後に、アンテナ部２１によって再度ゲート３から信号を受信した場合に電源情報記憶部２２に記憶された電源情報を参照し、電源情報に従って携帯電話１の電源をＯＮまたはＯＦＦにする機能を有する。ここでは、電源情報がＯＦＦであった場合には、ゲート３から出力される信号を受信しても、携帯電話１の電源をＯＦＦのまま維持させ、電源情報がＯＮであって、ゲート３から出力される信号を受信した場合には、携帯電話１の電源をＯＮにする。
【００１６】
また、制御部２３は、ゲート３通過時の電源切断の際に、携帯電話１の電源のＯＮ、ＯＦＦの状態を検出し、検出結果に基づいて、電源情報として電源情報記憶部２２に記憶する。この制御部２３の処理は、例えば、プログラムによって実現される。
【００１７】
次に、上述した携帯型電子通信機器の電源制御システムの動作について図面を用いて説明する。図３は、携帯型電子通信機器の電源制御システムの動作について説明するためのフローチャートである。ここでは、携帯電話１の電源のＯＮ、ＯＦＦ管理を行う対象となる管理エリアの出入り口にゲート３が設けられ、携帯電話１の電源が投入された状態である場合について説明する。
【００１８】
まず、ＩＣタグ２の制御部２３は、ゲート３から出力される信号をアンテナ部２１によって受信したか否かを検出する（ステップＳ１１）。この検出は、所定時間の経過毎に繰り返して行う。ここで、携帯電話１を所有したユーザがゲート３を通過して管理エリア内に移動すると、制御部２３は、このゲート３を通過する際に、ゲート３から出力される信号をアンテナ部２１によって受信して検出する。ゲート３から出力された信号を検出すると、制御部２３は、携帯電話１の電源のＯＮ、ＯＦＦの状態を検出し、検出結果に基づいて電源情報記憶部２２に電源情報として記憶する。ここでは、携帯電話１の電源が投入されているので、フラグＯＮが電源情報記憶部２２に設定される（ステップＳ１２）。そして、制御部２３は、携帯電話１に対し、電源をＯＦＦにするように指示する（ステップＳ１３）。これにより、ゲート３が設けられた領域内において、携帯電話１の電源がＯＦＦになり、電磁波が放出されない。
【００１９】
次に、制御部２３は、ゲート３から出力される信号をアンテナ部２１によって受信したか否かを繰り返して検出する（ステップＳ１４）。ここでは、信号を受信していなければ、携帯電話１の電源はＯＦＦのままである。そして、携帯電話１を所有したユーザがゲート３に近づいて、ゲート３を通過して管理エリア外に移動すると、制御部２３は、電源情報記憶部２２に記憶された電源情報を読み出して参照する（ステップＳ１５）。ここで読み出される電源情報は、電源がＯＮであることを示す情報であるので、制御部２３は、携帯電話１の電源をＯＮにするように携帯電話１に指示を出力する（ステップＳ１６）。これにより、携帯電話１の電源がＯＮになる。携帯電話１の所有者によって携帯電話１の電源がＯＦＦにされるまでステップＳ１１に移行する（ステップＳ１７）。
【００２０】
以上説明した実施形態では、電源情報がＯＮである場合について説明したが、電源情報がＯＦＦであった場合、制御部２３は、ステップＳ１２において、電源情報に‘電源ＯＦＦ’を記憶し、ステップＳ１６において、携帯電話１の電源をＯＦＦのままにして、ステップＳ１７に移行する。これにより、電源情報がＯＦＦの状態が維持される。
【００２１】
次に、第２の実施形態について説明する。この実施形態において、上述した第１の実施形態と相違する構成は、ゲート３である。すなわち、ゲート３は、ゲート３を通過する際に携帯電話１から発せられる電磁波を検出する検出部を有しており、この検出部がゲート３を通過する携帯電話１から発せられる電磁波を検出した場合に、出力部３１から携帯電話１の電源をＯＦＦにする指示となる信号をＩＣタグ２に出力する。これにより、電磁波を発している携帯電話１がゲート３を通過することを検出して信号を出力し、ＩＣタグ２によって携帯電話１の電源をＯＦＦにすることができる。
【実施例１】
【００２２】
〈電車の場合〉
図４は、携帯型電子通信機器の電源制御システムを適用した第１の実施例を示す図面である。この実施例において、ゲート３は、電車などの車両４０の各ドアに設けられる。これにより、いずれのドアから車内に入っても携帯電話１の電源がＯＦＦになり、そして、いずれのドアから車外に出たとしても、各ゲートを通過する際に、電源情報として設定されたフラグに従って携帯電話１の電源のＯＮ、ＯＦＦの制御がなされる。
【実施例２】
【００２３】
〈建物（入口、個別室の入口）〉
第２の実施例において、ゲート３は建物の出入口、あるいは建物内の個別室の出入口に設けられる。ゲート３が建物の出入口に設けられる場合において、出入口が複数ある場合には、それぞれに設けられる。これにより、どの入口から入っても、建物内では携帯電話１の電源がＯＦＦになり、建物の外に出るときは、どの出入口から出ても、フラグに従って携帯電話１の電源制御がなされる。
この第２の実施例において、ゲート３が建物５０の個別室５５に設けられる場合の一例を図５に示す。個別室の場合は、通常、ドアが１箇所であるので（図５、個別室５５）、ドアから室内に入るときに携帯電話１の電源がＯＦＦとなり、ドアから室外に出るときに携帯電話１の電源がフラグに従って電源制御される。
【００２４】
以上説明した実施形態によれば、携帯電話にＩＣタグを設け、携帯電話の電源を制御するようにしたため、電車の中や、病院、あるいはコンサートホール等、携帯電話に電源が投入されている状態では他に迷惑や影響を及ぼす場所に入る時点で、電源をＯＦＦにし、その場所から出る時点で元の状態（電源がＯＮであったならＯＮに、ＯＦＦ（休止、スタンバイ状態）の場合はそのままＯＦＦ（休止、スタンバイ状態））に戻すことができる。
また、コンサート会場、学校の教室等で、携帯電話の電源を切り忘れにより呼び出し音が鳴ることが防止され、周囲の人に迷惑をかける、あるいは不快にするといったことを防止することができる。また、病院等の医療機関においては、電磁波によって医療用機器が誤作動して人命に関わる事態を引き起こしてしまうことを防止することも可能となる。
【００２５】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【００２６】
以上のように、本発明による携帯型電子通信機器の電源制御システムは、人が多く集まる場所や、人が密集している場所、携帯型電子通信機器の着信音や通話する際の話し声が他の人に迷惑となる場所への入退室時に有用であり、特に電磁波に影響を受ける装置や機器がある場所への入退室に適している。
【図面の簡単な説明】
【００２７】
【図１】この発明の第１の実施形態における携帯型電子通信機器の電源制御システムの構成を示す概略構成図である。
【図２】この発明の一実施形態によるＩＣタグの構成を示す概略ブロック図である。
【図３】携帯型電子通信機器の電源制御システムの動作について説明するためのフローチャートである。
【図４】携帯型電子通信機器の電源制御システムを適用した第１の実施例を示す図面である。
【図５】携帯型電子通信機器の電源制御システムを適用した第２の実施例を示す図面である。
【符号の説明】
【００２８】
１  携帯電話                              ２  ＩＣタグ
３  ゲート                                ２１  アンテナ部
２２  電源情報記憶部                      ２３  制御部
【図１】
2006203510.tif 000003
【図２】
2006203510.tif 000004
【図３】
2006203510.tif 000005
【図４】
2006203510.tif 000006
【図５】
2006203510.tif 000007